(57)【要約】      （修正有）【課題】接触現像方式において、用紙の幅方向両端部が部分的に印字されないことを抑制することができる。【解決手段】現像ローラ７５は、感光体ドラム７２と接触している。ワイヤ７８は、感光体ドラム７２と現像ローラ７５との間において、感光体ドラム７２および現像ローラ７５と接触しないように配置されている。また、ワイヤ７８は、感光体ドラム７２と現像ローラ７５との間の接触現像を行う領域とは異なる領域で非接触現像を行うように構成されている。【選択図】図１
2012208338.tif 000002
【特許請求の範囲】
【請求項１】
静電潜像が形成される像担持体と、
前記像担持体に対して接触するように配置され、前記像担持体に現像剤を供給して接触現像方式で前記静電潜像を現像する現像剤担持体と、を備えた現像装置であって、
さらに、前記像担持体と前記現像剤担持体との間で接触現像を行う領域とは異なる領域で、前記像担持体と前記現像剤担持体との間で非接触現像を行うように構成された非接触現像手段を備えたことを特徴とする現像装置。
【請求項２】
前記非接触現像手段は、
前記像担持体と前記現像材担持体とが接触するニップ部よりも、前記所定方向上流側に設けられていることを特徴とする請求項１に記載の現像装置。
【請求項３】
前記非接触現像手段は、
交流の電圧が印加され、前記現像像担持体の表面に沿って延びるワイヤであることを特徴とする請求項２に記載の現像装置。
【請求項４】
請求項１ないし請求項３のいずれかに記載の現像装置を備えることを特徴とする画像形成装置。
【発明の詳細な説明】
【技術分野】
【０００１】
本発明は、接触現像方式を用いた現像装置および画像形成装置に関する。
【背景技術】
【０００２】
レーザプリンタなどの画像形成装置には、その装置本体内に現像装置が備えられている。
現像装置には、筐体と、トナーを収容するトナー収容部と、感光ドラムと当接するとともに筐体に回転可能に支持された現像ローラと、トナー層を介して現像ローラの周面と当接するトナー層厚規制部材とが備えられている。
【０００３】
このような構成により、トナー収容部内のトナーは、現像ローラの周面に付着した後、トナー層厚規制部材により、一定の厚さのトナー層として現像ローラの周面に担持される。そして、現像ローラ上のトナーは、現像ローラと感光ドラムとの接触位置で、感光ドラムへ移動する。
【先行技術文献】
【特許文献】
【０００４】
【特許文献１】特開２００７−９３９５０号公報
【発明の概要】
【発明が解決しようとする課題】
【０００５】
上述の構成では、たとえば、現像ローラの回転軸が筐体に回転可能に固定されていることから、トナー層規制部材からの押圧力により、現像ローラの長手方向の中央部が感光ドラム側へ撓むおそれがある。
【０００６】
このように現像ローラの長手方向の中央部が撓んだ状態で回転すると、現像ローラの長手方向両端部では、感光ドラムと接触する状態と接触しない状態が交互に起こる。
【０００７】
現像ローラと感光ドラムとが接触せずに間隔ができてしまうと、現像ローラ上の長手方向両端部のトナーは、感光ドラム側へ移動できない。そのため、感光ドラム上のトナー像を用紙に転写した場合に、用紙の幅方向両端部で部分的に印字されないといった印字不良が起こるといった問題があった。
【０００８】
そこで、本発明は上述の問題に鑑みてなされたものであって、接触現像方式において、用紙の幅方向両端部が部分的に印字されないことを抑制することができる現像装置を提供することを目的としている。
【課題を解決するための手段】
【０００９】
この目的を達成するために、請求項１に記載の発明は、静電潜像が形成される像担持体と、前記像担持体に対して接触するように配置され、前記像担持体に現像剤を供給して接触現像方式で前記静電潜像を現像する現像剤担持体と、を備えた現像装置であって、さらに、前記像担持体と前記現像剤担持体との間で接触現像を行う領域とは異なる領域で、前記像担持体と前記現像剤担持体との間で非接触現像を行うように構成された非接触現像手段を備えたことを特徴としている。
【００１０】
また、請求項２に記載の発明は、請求項１に記載の発明において、前記非接触現像手段は、前記像担持体と前記現像材担持体とが接触するニップ部よりも、前記所定方向上流側に設けられていることを特徴としている。
【００１１】
また、請求項３に記載の発明は、請求項２に記載の発明において、前記非接触現像手段は、交流の電圧が印加され、前記現像像担持体の表面に沿って延びるワイヤであることを特徴としている。
【００１２】
また、請求項４に記載の発明は、請求項１ないし請求項３のいずれかに記載の発明において、請求項１ないし請求項３のいずれかに記載の現像装置を備えることを特徴としている。
【発明の効果】
【００１３】
請求項１に記載の発明によれば、現像剤担持体は、像担持体と当接し、非接触現像手段は、像担持体と現像剤担持体との間で接触現像を行う領域とは異なる領域で非接触現像を行う。
【００１４】
このような構成により、現像剤担持体上の現像剤は、現像剤担持体の両端部と像担持体との間に間隔が空いたとしても、非接触現像手段により像担持体へ移動するので、用紙の幅方向両端部に印字することができる。
【００１５】
その結果、接触現像方式において、用紙の幅方向両端部が部分的に印字されないことを抑制することができる。
【００１６】
請求項２に記載の発明によれば、非接触現像手段は、像担持体と現像剤担持体とが接触するニップ部よりも、所定方向上流側に設けられている。
【００１７】
このような構成により、非接触現像手段は、ニップ部よりも所定方向下流側では現像を行わないので、ニップ部で現像剤担持体から像担持体へ移動した現像剤が、像担持体から現像剤担持体へ移動することがない。
【００１８】
その結果、より用紙の幅方向両端部が部分的に印字されないことを抑制することができる。
【００１９】
請求項３に記載の発明によれば、非接触現像手段は、現像剤担持体の表面に沿って延びるワイヤである。
【００２０】
このような構成により、簡単な構成により非接触現像を行うことができる。
【００２１】
請求項４に記載の発明によれば、画像形成装置は、請求項１ないし請求項３のいずれかに記載した現像装置を備えているので、請求項１ないし請求項３のいずれかに関連して述べた効果と同様の効果を奏することができる。
【図面の簡単な説明】
【００２２】
【図１】レーザプリンタの概略構成を示す側断面図
【図２】現像装置の拡大断面図
【図３】ワイヤ表面と現像ローラ表面との間の電界強度を説明するための説明図
【図４】ワイヤの位置を説明するための説明図
【発明を実施するための形態】
【００２３】
＜実施形態１＞
図１は、本実施形態である画像形成装置の一例としてのレーザプリンタ１の概略構成を示す側断面図である。
このレーザプリンタ１は、本体筐体２を備え、本体筐体２内において、用紙を画像形成部４へ供給する給紙部３と、給紙された用紙に画像を形成する画像形成部４と、画像が形成された用紙を排紙する排紙部と、制御装置１０とを備えている。
なお、以下の説明において、特に説明がない限り図１に示した上下方向を上下、図１における右側を前、左側を後、紙面の奥側を右、紙面の手前側を左として、各方向を示す。ここでの方向は、レーザプリンタ１の手前に立った者から見た方向を基準として規定してある。
【００２４】
本体筐体２には、開口が形成され、開口を開閉可能なカバー２１が設けられている。
このカバーは、その下端部に設けられたカバー軸（図示せず）に回動自在に支持されている。
【００２５】
（１）給紙部
給紙部３は、本体筐体２内の下方に設けられ、用紙を収納する給紙トレイ３１と、給紙トレイ３１の前端部の上方に設けられて給紙トレイ３１に収容された用紙を給送する給紙ローラ３２と、給紙ローラ３２と対向する位置に配置されて用紙を１枚毎に分離する給紙パット３３とを備えている。
このように構成された給紙部３では、給紙トレイ３１から用紙が一枚ずつ分離されて画像形成部４へ送られる。
【００２６】
（２）画像形成部
画像形成部４は、感光体ドラム７２の表面にレーザ光を当てることにより静電潜像を形成する露光部６と、用紙にトナー像を転写する現像装置の一例としての現像装置７と、用紙上のトナー像を熱定着させる定着部を備えている。
【００２７】
（２−１）露光部
露光部６は、本体筐体２内の上部に設けられ、レーザ発光部、ポリゴンミラー、レンズおよび反射鏡（図示せず）を備えている。
【００２８】
このように構成された露光部では、所定の画像データに基づいてレーザ光源から発光されるレーザ光が、ポリゴンミラーで左右方向に高速で走査され、レンズおよび反射鏡を通過または反射した後、感光体ドラム７２に照射される。
【００２９】
（２−２）現像装置
現像装置７は、露光部の下方であって、給紙部３の上方に配置されており、本体筐体２に対して着脱自在に装着される構造となっている。
【００３０】
現像装置７は、フレーム７１を備え、フレーム７１内には、フレーム７１に回転可能に支持された像担持体の一例である感光体ドラム７２と、感光体ドラム７２を帯電させるスコロトロン帯電器７３と、感光体ドラム７２に形成されたトナー像を用紙に転写する転写ローラ７４と、現像剤の一例としてのトナーＴを担持する現像剤担持体の一例の現像ローラ７５と、トナーＴを現像ローラ７５へ供給する供給ローラ７６と、トナーＴを収容するトナー収容部７７と、現像ローラ７５の表面に担持されるトナー層の厚さを規制するブレード部材（図示せず）とをさらに備えている。
本実施形態におけるトナーＴは、正帯電性の非磁性１成分の重合トナーである。制御装置１０は、画像形成時には、スコロトロン帯電器７３および転写ローラ７４には、交流バイアスを印加し、現像ローラ７５には、直流バイアスを印加するように制御している。
【００３１】
このように構成された現像装置７では、感光体ドラム７２の表面がスコロトロン帯電器７３により一様に帯電され、帯電された感光体ドラム７２の表面がレーザ光の走査によって露光されて露光された部分の電位が下がることにより、感光体ドラム７２の表面に静電潜像が形成される。そして、トナー収容部７７から供給されたトナーＴが、感光体ドラム７２の露光された部分に保持されることにより、感光体ドラム７２の表面にトナー像が形成される。このように感光体ドラム７２の表面に形成されたトナー像は、感光体ドラム７２の回転により用紙と対向する位置に送られて、転写ローラ７４に印加された転写バイアスにより用紙に転写される。
【００３２】
（２−３）定着部
定着部８は、現像装置７に対して後側に配置され、熱源により加熱される加熱ローラ８１および加熱ローラに圧接する加圧ローラ８２を備えている。
【００３３】
このように構成された定着部８では、用紙が加熱ローラ８１と加圧ローラ８２との間を通過することにより、用紙上のトナー像が熱定着される。
【００３４】
（３）排紙部
排紙部５は、定着部を通過した用紙を搬送するための排紙ローラ５１と、排紙ローラ５１より搬送された用紙を蓄積する排紙トレイ５２とを備えている。
【００３５】
このように構成された排紙部５では、定着部８で定着された用紙が、排紙ローラ５１によって搬送されて排紙トレイ５２上に排紙される。
【００３６】
＜現像装置の詳細な説明＞
次に、現像装置７の詳細な構成について説明をする。
現像装置７は、感光体ドラム７２と、スコロトロン帯電器７３と、転写ローラ７４と、現像ローラ７５と、供給ローラ７６と、トナー収容部７７と、非接触現像手段の一例としてのワイヤ７８とを備えている。
【００３７】
感光体ドラム７２および現像ローラ７５は、現像装置の着脱方向（前後方向）と直交する方向（左右方向）に延びる円筒形状を有している。感光ドラム７２は、図１に示すように、画像形成時には、時計回りに回転するとともに、現像ローラ７５は、反時計回りに回転する。
【００３８】
ワイヤ７８は、画像形成時に、制御装置１０により交流バイアスが印加され、感光体ドラム７２と現像ローラ７５との間で非接触現像を行うためのものである。ワイヤ７８は、金属により形成され、感光体ドラム７２を支持している左右のフレームに架設されている。またワイヤ７８は、図２に示すように、感光体ドラム７２および現像ローラ７５と接触しない位置に配置され、感光体ドラム７２と現像ローラ７５との接触部（ニップ部Ｎ）よりも、現像ローラ７５の回転方向上流側に配置されている。
【００３９】
次に、より具体的にワイヤ７８の配置する位置について説明をする。
【００４０】
ワイヤ７８は、現像ローラ７５上のトナーＴを感光体ドラム７２上へ移動させるために、以下の４つの条件を満たす位置に配置する必要がある。
１つ目は、画像形成時において、ワイヤ７８と現像ローラ７５との間で放電が起こらない位置にワイヤ７８が配置されていることである。２つ目は、画像形成時において、現像ローラ７５上のトナーＴを現像ローラ７５から引き剥がすことができる位置にワイヤ７８が配置されていることである。３つ目は、画像形成時において、ワイヤ７８と感光体ドラム７２との間で放電が起こらない位置にワイヤ７８が配置されていることである。４つ目は、画像形成時において、感光体ドラム７２の露光された部分の表面とワイヤ７８の表面との間の電界強度が、現像ローラ７５の表面とワイヤ７８の表面との間の電界強度よりも大きくなるような位置に配置されていることである。
【００４１】
＜条件１＞
まず始めに、画像形成時において、ワイヤ７８の表面と現像ローラ７５の表面との間で放電が起こらない位置について説明をする。
【００４２】
ワイヤ７８の表面と現像ローラ７５の表面との間で放電が起こらない距離は、パッシェンの法則により求めることができる。ここで、放電開始電圧をＶpa〔Ｖ〕、空隙幅ｇ〔ｍ〕とすると、放電開始電圧Ｖpaと空隙幅ｇとの間には、パッシェンの法則により、式（１）の関係式が成り立つ。
【数１】
2012208338.tif 000003
【００４３】
重合トナーの場合、一般的にトナーＴの直径が５×１０-6〜１０×１０-6［ｍ］であるため、ワイヤ７８の表面と現像ローラ７５の表面との距離をｄ1とすると、ｄ1が７．７×１０-6［ｍ］より小さくなることはない。従って、式（１）の条件についてのみ考えればよい。
【００４４】
ここで、ワイヤ７８の表面と現像ローラ７５の表面との間の最大電圧差をＶ1とすると、ワイヤ７８と現像ローラ７５との間で放電が起こらないためには、式（２）の関係式を満たす必要がある。
【数２】
2012208338.tif 000004
【００４５】
式（１）および（２）により、式（３）のように、ワイヤ７８の表面と現像ローラ７５の表面との間の最大電圧差Ｖ1とワイヤ７８の表面と現像ローラ７５の表面との距離ｄ1との関係式を導き出すことができる。
【数３】
2012208338.tif 000005
【００４６】
＜条件２＞
次に、画像形成時において、現像ローラ７５上のトナーＴを現像ローラ７５から引き剥がすことができる位置について説明をする。
【００４７】
現像ローラ７５上に付着しているトナーＴを引き剥がすためには、トナーＴに働く現像ローラ７５に付着する付着力をＦa、トナーＴを引き剥がす方向に働く力をＦ1とすると、式（４）の関係式を満たす必要がある。
【数４】
2012208338.tif 000006
【００４８】
ここで、電場Ｅをつくる場所にある電荷ｑを置いたときに、電荷ｑに働く力Ｆは、式（５）より定義することができる。
【数５】
2012208338.tif 000007
【００４９】
従って、トナーＴを引き剥がす方向に働く力Ｆ1は、ワイヤ７８と現像ローラ７５との間に形成される電場をＥ1、トナーＴの電荷量をｑ0とすると、式（４）および式（５）より、式（６）の関係式を満たす必要がある。
【数６】
2012208338.tif 000008
【００５０】
ここでＥ1について、さらに詳細に説明をする。
ワイヤ７８と現像ローラ７５との間に形成される電場Ｅ1は、現像ローラ７５を平板として近似することで、求めることができる。この近似したモデル図を図３に示す。またこのモデル図では、鏡像電荷法で電場を求めるため、現像ローラ７５の表面を挟んでワイヤ７８と反対側には、ワイヤ７８電荷Ｑ1と逆極性の電荷を図示している。
【００５１】
ある線電荷Ｑ0から距離Ｒ離れた地点における電界強度ＥRは、ガウスの法則により、式（７）のように定義される。ε0は、ワイヤ７８と現像ローラ７５との間の誘電率である。
【数７】
2012208338.tif 000009
【００５２】
また同様に、ある線電荷Ｑ0から距離Ｒ離れた地点における電位ＶRは、式（８）のように定義される。
【数８】
2012208338.tif 000010
【００５３】
ここで、ワイヤ７８の半径をｒとすると、ワイヤ７８の表面での電位Ｖ2は、式（８）により、式（９）の関係式となる。
【数９】
2012208338.tif 000011
【００５４】
そして、式（７）および（９）により、電界強度ＥRは、式（１０）の関係式で表すことができる。
【数１０】
2012208338.tif 000012
【００５５】
ここで、トナーＴの半径をyとすると、現像ローラ７５上に付着したトナーＴにかかる電界強度Ｅ1は、式（１０）により、式（１１）の関係式となる。
【数１１】
2012208338.tif 000013
【００５６】
そして、式（４）と式（１１）により、式（１２）に示すように、トナー付着力Ｆaとワイヤ７８の表面と現像ローラ７５の表面との間の距離ｄ1との関係式を導き出すことが出来る。つまりｄ1は、式（１２）からニュートン法などの数値計算によって求めることができる。
【数１２】
2012208338.tif 000014
【００５７】
ただし、この条件は、現像ローラ上における最下層のトナーが剥がれるための条件である。２層目以上のトナーが剥がれるための力は、最下層のトナーが剥がれるための力よりも小さい。
【００５８】
＜条件３＞
次に、画像形成時において、ワイヤ７８の表面と感光体ドラム７２の表面との間で放電が起こらな位置について説明をする。
【００５９】
ここで、ワイヤ７８の表面と感光体ドラム７２の表面との間の最大電圧差をＶ3とすると、ワイヤ７８と感光体ドラム７２との間で放電が起こらないためには、式（１３）の関係式を満たす必要がある。
【数１３】
2012208338.tif 000015
【００６０】
ここで、ワイヤ７８の表面と感光体ドラム７２の表面との距離ｄ2とすると、式（１３）と式（１）により、式（１４）のように、ワイヤ７８の表面と感光体ドラム７２の表面との間の最大電圧差Ｖ3とワイヤ７８の表面と感光体ドラム７２の表面との距離ｄ2との関係式を導き出すことができる。
【数１４】
2012208338.tif 000016
【００６１】
＜条件４＞
次に、画像形成時において、感光体ドラム７２の露光された部分の表面とワイヤ７８の表面との間の電界強度が、現像ローラ７５の表面とワイヤ７８の表面との間の電界強度よりも大きくなるような位置について説明をする。
【００６２】
この条件は、現像ローラ７５の表面から離れたトナーＴが、現像ローラ７５の表面に戻ることなく、露光部により感光体ドラム７２の表面が露光された部分に飛散するための条件である。より具体的には、感光体ドラム７２の露光された部分の表面とワイヤ７８の表面との間の電界強度をＥ2、現像ローラ７５の表面とワイヤ７８の表面との間の電界強度をＥ3とすると、Ｅ2は、式（１５）の関係式を満たす必要がある。
【数１５】
2012208338.tif 000017
【００６３】
ここで、ワイヤ７８の表面、感光体ドラム７２の表面および現像ローラ７５の表面を平行平板として近似する。平板間の電界強度をＥ4、平板間の距離をｄ3、平板間にかかる電圧をＶ4とすると、一般的に、Ｅ4は、式（１６）により定義することができる。
【数１６】
2012208338.tif 000018
【００６４】
感光体ドラム７２の表面の露光された部分の電位をＶL、現像ローラ７５の表面の電位をＶb、ワイヤ７８に印加される交流バイアスの最大電圧値をＶc、とすると、Ｅ2およびＥ3は、式（１６）により、式（１７）および式（１８）の関係式で表すことができる。
【数１７】
2012208338.tif 000019
【数１８】
2012208338.tif 000020
【００６５】
そして、式（１５）、式（１７）および式（１８）により、式（１９）が求まる。
【数１９】
2012208338.tif 000021
【００６６】
このように、ｄ1は、式（３）および式（１２）から算出でき、ｄ2は、式（３）および式（１２）から算出されたｄ1、式（１４）および式（１９）から算出することができる。
【００６７】
以上のように、ｄ1およびｄ2を算出することで、ワイヤ７８を配置する位置が決まる。このように求められた位置にワイヤ７８を配置することで、さらに確実に非接触現像が行えるので、用紙の幅方向両端部が部分的に印字されないことをより抑制することができる。さらに具体的にｄ1およびｄ2の算出について説明する。
【００６８】
たとえば、ｒ＝５０〔μｍ〕、ｙ＝３．５〔μｍ〕、ｑ0＝３〔ｆＣ〕、Ｆa＝５〔ｎＮ〕、Ｖb＝５００〔Ｖ〕、Ｖ1＝１４００〔Ｖ〕、Ｖc＝１９００〔Ｖ〕、ＶL＝２００Ｖと仮定する。これらの値は、現像ローラ７５と感光体ドラム７２とが接触するニップ部で接触現像が行われる範囲内で適宜設定すればよい。ワイヤ７８の表面と現像ローラ７５の表面との間の最大電圧差Ｖ1＝１４００であるので、ワイヤ７８の表面での電位Ｖ2＝１４００〔Ｖ〕となる。
【００６９】
従って、ｄ1は、式（１２）により、
【数２０】
2012208338.tif 000022
となる。
【００７０】
さらに、ｄ1は、式（３）により、
【数２１】
2012208338.tif 000023
となる。つまりｄ1は、式（２０）および式（２１）により、式（２２）の関係式を満たすことが必要となる。
【数２２】
2012208338.tif 000024
【００７１】
つぎにｄ2を求める。上述のように仮定した場合に、感光体ドラム７２の表面とワイヤ７８の表面との間の最大電位差Ｖ3は、ＶLとＶcとの間の電位差となる。そのためｄ2は、式（１４）により、
【数２３】
2012208338.tif 000025
となる。
【００７２】
さらに、ｄ2は、式（１９）にｄ1の最大値であるｄ1＝５００×１０-6〔ｍ〕を代入すると、
【数２４】
2012208338.tif 000026
となる。つまりｄ2は、式（２３）および式（２４）により、式（２５）の関係式を満たすことが必要となる。
【数２５】
2012208338.tif 000027
となる。
【００７３】
上述のように仮定した場合、ワイヤ７８は、図４に示すように、式（２２）および式（２５）の条件を満たす位置内（図４の斜線部内）に配置されていればよいことがわかる。
【００７４】
＜作用・効果＞
以上により構成された現像装置７の作用・効果について説明をする。
現像ローラ７５は、感光体ドラム７２と接触している。ワイヤ７８は、感光体ドラム７２と現像ローラ７５との間において、感光体ドラム７２および現像ローラ７５と接触しないように配置されている。また、ワイヤ７８は、感光体ドラム７２と現像ローラ７５との間の接触現像を行う領域とは異なる領域で非接触現像を行うように構成されている。
【００７５】
このような構成により、現像ローラ７５上のトナーＴは、現像ローラ７５の両端部と感光ドラムとの間に間隔が空いたとしても、ワイヤ７８により現像ローラ７５上のトナーＴが感光体ドラム７２へ移動するので、用紙の幅方向両端部に印字することができる。
【００７６】
その結果、接触現像方式において、用紙の幅方向両端部が部分的に印字されないことを抑制することができる。
【００７７】
ワイヤ７８は、感光体ドラム７２と現像ローラ７５が接触するニップ部Ｎよりも、現像ローラ７５の回転方向上流側に設けられている。
【００７８】
このような構成により、ニップ部Ｎよりも現像ローラ７５の回転方向下流側では非接触現像を行わないので、ニップ部Ｎで現像ローラ７５から感光ドラムへ移動したトナーＴが、感光ドラムから現像ローラ７５へ移動することがない。
【００７９】
その結果、より用紙の幅方向両端部が部分的に印字されないことを抑制することができる。
【００８０】
ワイヤ７８は、現像ローラ７５の左右方向に延びて形成されているので、簡単な構成により非接触現像を行うことができる。
【符号の説明】
【００８１】
１・・・レーザプリンタ、２・・・本体筐体、２１・・・カバー、３・・・給紙部、３１・・・給紙トレイ、３２・・・給紙ローラ、３３・・・給紙パット、４・・・画像形成部、１０・・・制御装置、６・・・露光部、７・・・現像装置、７１・・・フレーム、７２・・・感光体ドラム、７３・・・スコロトロン帯電器、７４・・・転写ローラ、７５・・・現像ローラ、７６・・・供給ローラ、７７・・・トナー収容部、７８・・・ワイヤ、８・・・定着部、８１・・・加熱ローラ、８２・・・加圧ローラ、５・・・排紙部、５１・・・排紙ローラ、５２・・・排紙トレイ
【図１】
2012208338.tif 000028
【図２】
2012208338.tif 000029
【図３】
2012208338.tif 000030
【図４】
2012208338.tif 000031